(57)【要約】【課題】配管が貫通しているスリーブと配管との隙間を安全作業が確保できるように養生可能とすることである。【解決手段】配管が貫通するスリーブと配管の隙間を覆って配管及びスリーブに巻き付けられる略四角形のカバー本体１１の表側の対向する２辺には、一方端がカバー本体１１から突出した帯状の１対の表側接続部材（長マジックテープ）１３が設けられ、カバー本体１１の表側の１対の表側接続部材１３の非突出側の１辺には表側接続部材（表側短マジックテープ）１４が設けられ、カバー本体の裏側の１対の表側接続部材１３の突出側の１辺には裏側接続部材（裏側短マジックテープ）１５が設けられている。また、カバー本体１１が配管及びスリーブに巻き付けられた状態でカバー本体１１を配管及びスリーブに縛り付けるための緊縛手段（紐）１６を有している。【選択図】  図１
2010189843.tif 000002
【特許請求の範囲】
【請求項１】
配管が貫通するスリーブと前記配管の隙間を覆って前記配管及び前記スリーブに巻き付けられる略四角形のカバー本体と、
前記カバー本体の表側の対向する２辺に設けられ一方端が前記カバー本体から突出し前記カバー本体が前記配管及び前記スリーブに巻き付けられたときは突出部分が前記カバー本体の２辺に重なり合って接続する帯状の１対の表側接続部材と、
前記カバー本体の前記１対の表側接続部材の非突出側の１辺に設けられた表側接続部材と、
前記カバー本体の前記１対の表側接続部材の突出側の１辺に設けられ前記カバー本体が前記配管及びスリーブに巻き付けられたときは前記表側接続部材と接続する裏側接続部材と、
前記１対の表側接続部材が設けられた２辺にそれぞれ設けられ前記カバー本体が配管及びスリーブに巻き付けられた状態で前記カバー本体を配管及びスリーブに縛り付けるための緊縛手段と、
を備えたことを特徴とする配管貫通部カバー。
【請求項２】
請求項１の配管貫通部カバーの裏面が配管側となるように配管が貫通するスリーブと前記配管との隙間を覆って前記配管及び前記スリーブに巻き付け、
前記配管及び前記スリーブに巻き付けた状態で前記カバー本体の裏側接続部材と前記カバー本体の表側接続部材とを接続させ、
前記１対の表側接続部材の突出部分が前記カバー本体の２辺部分の１対の表側接続部材に重なり合うように接続させ、
前記カバー本体の２辺に設けられた前記緊縛手段で前記カバー本体を前記配管及びスリーブに縛り付け、前記配管の貫通部の隙間を覆うことを特徴とする配管貫通部カバーの取付方法。
【請求項３】
請求項１の配管貫通部カバーの裏面が配管側となるように配管が貫通するスリーブを覆って前記配管及びスリーブに巻き付け、
前記配管及びスリーブに巻き付けた状態で前記カバー本体の裏側接続部材と前記カバー本体の表側接続部材とを接続させ、
前記１対の表側接続部材の突出部分が前記カバー本体の２辺部分の１対の表側接続部材に重なり合うように接続させ、
前記カバー本体の２辺に設けられた前記緊縛手段で前記カバー本体を前記配管及びスリーブに縛り付け、
前記１対の表側接続部材及び前記緊縛手段が隠れるように前記１対の表側接続部材及び前記緊縛手段が設けられた前記カバー本体の端部を折り曲げ、
前記配管の貫通部の隙間を覆うことを特徴とする配管貫通部カバーの取付方法。
【請求項４】
複数個の請求項１の配管貫通部カバーを用意し、一方のカバー本体の裏側接続部材と他方のカバー本体の表側接続部材とを接続させるとともに、一方の１対の表側接続部材の突出部分と他方のカバー本体の２辺部分の１対の表側接続部材とを接続させて、順次、複数個の配管貫通部カバーを連結し、一つの配管貫通部カバーに代えて、連結した配管貫通部カバーを用いて前記配管の貫通部の隙間を覆うことを特徴とする請求項２又は請求項３記載の配管貫通部カバーの取付方法。
【発明の詳細な説明】
【技術分野】
【０００１】
本発明は、配管貫通部の隙間を覆うための配管貫通部カバー及び取付方法に関する。
【背景技術】
【０００２】
火力発電所における設備の定期点検時には、タービン建屋の各フロアでさまざまな工事が同時に進行している。その際、床面はビニールシートで養生を実施している。また、原子力発電所においても、定期検査で原子炉格納容器が解放された時点で、ベント管の開口部及びそのカバーを養生し、定期検査中、原子炉格納容器内部で実施する保守点検作業等で発生する異物をベント管内部に混入することを防止するようにしている（例えば、特許文献１参照）。
【０００３】
また、開口部の養生用部材として、施工現場に於ける機器や装置等の開口部に簡単に着脱することができ、開口部からの粉塵等の浸入を完全に防ぐことができると共に、通気性を保ったままで開口部を塞ぐことができ、しかも使用後の廃品を焼却処理しても有害物質を排出することがなく、環境汚染を生じないようにしたものがある（例えば、特許文献２参照）。
【先行技術文献】
【特許文献】
【０００４】
【特許文献１】特開２００６−３８６７９号公報
【特許文献２】特開２０００−３４５７１４号公報
【発明の概要】
【発明が解決しようとする課題】
【０００５】
しかし、特許文献１及び特許文献２のものは、開口部を覆って養生するものであり、フロアを貫通して設置されている配管のスリーブと配管との隙間を養生するものではない。配管のスリーブには配管が貫通しているので、配管のスリーブと配管との隙間を容易に養生することができない。配管のスリーブと配管との隙間をそのままにしておくと、保温くずや番線あるいは溶接の火花等が落下する危険性がある。そこで、配管のスリーブと配管との隙間にはビニールシートで養生を実施しているが、完全にシールできていないのが現状である。
【０００６】
本発明の目的は、配管が貫通しているスリーブと配管との隙間を安全作業が確保できるように養生できる配管貫通部カバー及び取付方法を提供することである。
【課題を解決するための手段】
【０００７】
請求項１の発明に係わる配管貫通部カバーは、配管が貫通するスリーブと前記配管の隙間を覆って前記配管及び前記スリーブに巻き付けられる略四角形のカバー本体と、前記カバー本体の表側の対向する２辺に設けられ一方端が前記カバー本体から突出し前記カバー本体が前記配管及び前記スリーブに巻き付けられたときは突出部分が前記カバー本体の２辺に重なり合って接続する帯状の１対の表側接続部材と、前記カバー本体の前記１対の表側接続部材の非突出側の１辺に設けられた表側接続部材と、前記カバー本体の前記１対の表側接続部材の突出側の１辺に設けられ前記カバー本体が前記配管及びスリーブに巻き付けられたときは前記表側接続部材と接続する裏側接続部材と、前記１対の表側接続部材が設けられた２辺にそれぞれ設けられ前記カバー本体が配管及びスリーブに巻き付けられた状態で前記カバー本体を配管及びスリーブに縛り付けるための緊縛手段とを備えたことを特徴とする。
【０００８】
請求項２の発明に係わる配管貫通部カバーの取付方法は、請求項１の配管貫通部カバーの裏面が配管側となるように配管が貫通するスリーブと前記配管との隙間を覆って前記配管及び前記スリーブに巻き付け、前記配管及び前記スリーブに巻き付けた状態で前記カバー本体の裏側接続部材と前記カバー本体の表側接続部材とを接続させ、前記１対の表側接続部材の突出部分が前記カバー本体の２辺部分の１対の表側接続部材に重なり合うように接続させ、前記カバー本体の２辺に設けられた前記緊縛手段で前記カバー本体を前記配管及びスリーブに縛り付け、前記配管の貫通部の隙間を覆うことを特徴とする。
【０００９】
請求項３の発明に係わる配管貫通部カバーの取付方法は、請求項１の配管貫通部カバーの裏面が配管側となるように配管が貫通するスリーブを覆って前記配管及びスリーブに巻き付け、前記配管及びスリーブに巻き付けた状態で前記カバー本体の裏側接続部材と前記カバー本体の表側接続部材とを接続させ、前記１対の表側接続部材の突出部分が前記カバー本体の２辺部分の１対の表側接続部材に重なり合うように接続させ、前記カバー本体の２辺に設けられた前記緊縛手段で前記カバー本体を前記配管及びスリーブに縛り付け、前記１対の表側接続部材及び前記緊縛手段が隠れるように前記１対の表側接続部材及び前記緊縛手段が設けられた前記カバー本体の端部を折り曲げ、前記配管の貫通部の隙間を覆うことを特徴とする。
【００１０】
請求項４の発明に係わる配管貫通部カバーの取付方法は、請求項２または請求項３の発明において、複数個の請求項１の配管貫通部カバーを用意し、一方のカバー本体の裏側接続部材と他方のカバー本体の表側接続部材とを接続させるとともに、一方の１対の表側接続部材の突出部分と他方のカバー本体の２辺部分の１対の表側接続部材とを接続させて、順次、複数個の配管貫通部カバーを連結し、一つの配管貫通部カバーに代えて、連結した配管貫通部カバーを用いて前記配管の貫通部の隙間を覆うことを特徴とする。
【発明の効果】
【００１１】
本発明によれば、配管が貫通するスリーブを覆って配管及びスリーブに巻き付けられる略四角形のカバー本体に、接続部材及び緊縛手段を取り付けて構成され、カバー本体を配管及びスリーブに巻き付け、カバー本体が巻き付けられた状態を維持するように接続部材を接続し、その状態でカバー本体を緊縛手段で配管及びスリーブに縛り付けるので、容易にスリーブと配管との隙間を塞ぐことができる。スリーブと配管との隙間を塞ぐことができることから、配管貫通部を完全にカバーすることができ、保温くず、番線、溶接の火花等が階下へ飛散することを防止でき安全性が向上する。
【００１２】
また、カバー本体を縛り付けた緊縛手段がカバー本体の裏側に位置するように配管及びスリーブ側に折り曲げるので、カバー本体の配管及びスリーブへの取り付けが機械的に強固になる。また、配管が大きい場合には複数のカバー本体を連結して、連結したカバー本体を配管及びスリーブに巻き付けることができるので、大径の配管及びスリーブに対しても容易に適用できる。
【図面の簡単な説明】
【００１３】
【図１】本発明の実施の形態に係わる配管貫通部カバーの表面図。
【図２】本発明の実施の形態に係わる配管貫通部カバーの裏面図。
【図３】本発明の実施の形態に係わる配管貫通部カバーのカバー本体を巻き付け状態としたときの斜視図。
【図４】本発明の実施の形態に係わる配管貫通部カバーの養生対象である配管及びスリーブの斜視図。
【図５】本発明の実施の形態に係わる配管貫通部カバーを図４に示す配管及びスリーブに対して装着した一例の斜視図。
【図６】本発明の実施の形態に係わる配管貫通部カバーを図４に示す配管及びスリーブに対して装着した他の一例の斜視図。
【図７】本発明の実施の形態に係わる２個の配管貫通部カバーを連結した場合の平面図。
【発明を実施するための形態】
【００１４】
図１は本発明の実施の形態に係わる配管貫通部カバーの表面図、図２は本発明の実施の形態に係わる配管貫通部カバーの裏面図である。配管カバー１０のカバー本体１１は耐炎材で略四角形に形成され、四隅は角が切り取られてテーパ部１２が形成されている。そして、図１に示すようにカバー本体１１の表側には、対向する２辺のテーパ部１２の内側に１対の表側接続部材１３が設けられている。１対の表側接続部材１３は、例えば帯状の長いマジックテープ（登録商標）で形成される。以下の説明では、１対の表側接続部材１３が長マジックテープ１３である場合について説明する。その長マジックテープ１３の一方端はカバー本体１１から突出している。また、カバー本体１１の表側の１対の長マジックテープ１３の非突出側の１辺には、表側接続部材１４が設けられている。この表側接続部材１４も、例えば帯状のマジックテープで形成され、１対の表側接続部材１３よりも短いので、以下の説明では、表側短マジックテープ１４として説明する。
【００１５】
次に、カバー本体１１の裏側の１対の長マジックテープ１３の非突出側の１辺には、図２に示すように、裏側接続部材１５が設けられている。この裏側接続部材１５も、表側接続部材１４と同じように、例えば帯状のマジックテープで形成されるので、以下、裏側短マジックテープ１５として説明する。さらに、１対の長マジックテープ１３が設けられた外側の２辺のテーパ部帯体１７には、カバー本体１１を養生対象である配管及びスリーブに縛り付けるための緊縛手段である紐１６が設けられ、テーパ部１２からこの紐１６が引き出されている。
【００１６】
図３はカバー本体１１を巻き付け状態としたときの斜視図である。カバー本体１１を巻き付け状態とするには、カバー本体１１を円筒状に丸めて、表側短マジックテープ１４と裏側短マジックテープ１５とを重ね合わせて接着するとともに、１対の長マジックテープ１３の突出部分を表側の長マジックテープ１３に重ねて合わせて接着する。そして、紐１６を上下で縛ることになる。
【００１７】
図４は養生対象である配管及びスリーブの斜視図である。例えば、発電所のタービン建屋のフロア１８には、配管２０を貫通させるためのスリーブ２１が設けられ、上下フロア１８間に渡って配管が敷設されている。スリーブ２１は配管２０の径より大きく形成されている。これは、配管の熱伸縮を吸収できるようにするためである。
【００１８】
図５は、図４に示す配管及びスリーブに対して、本発明の実施の形態に係わる配管貫通部カバーを装着した一例の斜視図である。配管貫通部カバー１０のカバー本体１１の裏面が配管２０側となるように配置し、配管２０が貫通するスリーブ２１を覆うように巻き付ける。すなわち、カバー本体１１の上部は配管２０に巻き付けられ、カバー本体１１の下部はスリーブ２１に巻き付けられる。
【００１９】
次に、配管２０及びスリーブ２１に巻き付けた状態でカバー本体１１の裏側短マジックテープ１５とカバー本体１１の表側短マジックテープ１４とを接着させ、さらに、１対の長マジックテープ１３の突出部分がカバー本体１１の２辺部分の１対の長マジックテープ１３に重なり合うように接着させる。そして、カバー本体１１の２辺に設けられた紐１６でカバー本体１１を配管２０及びスリーブ２１に縛り付け、図５に示すように配管２０の貫通部を覆う。
【００２０】
このように、カバー本体１１を配管２０及びスリーブ２１に巻き付け、マジックテープ１３〜１５と紐１６とを併用して配管２０に取り付けるので、多様な径の配管２０に容易に取り付けや取り外しが可能となる。また、カバー本体１１は耐炎材で形成されているので、例えば、火花が当たったとしても発火することがなく安全性が確保できる。
【００２１】
以上の説明では、配管貫通部カバー１０を取り付けた状態では、１対の長マジックテープ１３及び紐１６が表面側に露出した状態であるが、図６に示すように、１対の長マジックテープ１３及び紐１６がカバー本体１１の裏側に位置するように、１対の長マジックテープ１３及び紐１６を配管２０及びスリーブ２１側に折り曲げるようにしてもよい。
【００２２】
図６に示すように、配管貫通部カバー１０を配管２０及びスリーブ２１に取り付けた状態で、１対の長マジックテープ１３及び紐１６が隠れるように、１対の長マジックテープ１３及び紐１６が設けられたカバー本体１１の端部を折り曲げる。これにより、１対の長マジックテープ１３を隠蔽し、１対の長マジックテープ１３の材質として耐炎材を用いなくても火花から保護することが可能となる。
【００２３】
以上の説明では、１つの配管貫通部カバー１０を用いた場合について説明したが、図７に示すように、２個の配管貫通部カバー１０Ａ、１０Ｂを連結して使用するようにしてもよい。
【００２４】
すなわち、２個の配管貫通部カバー１０Ａ、１０Ｂを連結するには、一方のカバー本体１１Ａの裏側短マジックテープと他方のカバー本体１１Ｂの表側短マジックテープとを接着させる。そして、一方の１対の長マジックテープ１３ａの突出部分と他方のカバー本体の２辺部分の１対の長マジックテープ１３ｂとを接着させる。さらに隣り合う側の紐１６ａ１、１６ｂ１を互いに結ぶ。３個以上の配管貫通部カバー１１を連結するときは、順次、一方のカバー本体１１Ａの裏側短マジックテープと他方のカバー本体１１Ｂの表側短マジックテープとを接着させ、一方の１対の長マジックテープ１３ａの突出部分と他方のカバー本体の２辺部分の１対の長マジックテープ１３ｂとを接着させ、隣り合う側の紐１６ａ１、１６ｂ１を互いに結ぶことになる。
【００２５】
このようにして、連結された複数個の配管貫通部カバー１０を配管２０及びスリーブ２１に巻き付けて配管２０の貫通部を覆うことになる。これにより、大きな径の配管に対しても適用できる。
【００２６】
本発明の実施の形態によれば、カバー本体１１を配管２０及びスリーブ２１に巻き付け、マジックテープ１３〜１５と紐１６とで固定できるので、多様な径の配管２０に容易に取り付けが可能となる。また、カバー本体１１は耐炎材で形成されているので、例えば、現場での溶断溶接作業時の火花が当たったとしても発火することがなく安全性が確保できる。
【００２７】
また、カバー本体１１の端部を折り曲げて１対の長マジックテープ１３を隠蔽するので、１対の長マジックテープ１３の材質として耐炎材を用いなくても火花から保護することが可能となる。さらには、複数のカバー本体１１の端部を連結することで大径配管にも対応が可能となる。
【００２８】
また、配管貫通部カバー１０は、配管２０及びスリーブ２１に装着しないときは、配管２０上に設置されている弁などの分解点検時に部品落下防止シートとしても活用できる。
【符号の説明】
【００２９】
１０…配管貫通部カバー、１１…カバー本体、１２…テーパ部、１３…長マジックテープ、１４…表側短マジックテープ、１５…裏側短マジックテープ、１６…紐、１７…テーパ部帯体、１８…フロア、２０…配管、２１…スリーブ
【図１】
2010189843.tif 000003
【図２】
2010189843.tif 000004
【図３】
2010189843.tif 000005
【図４】
2010189843.tif 000006
【図５】
2010189843.tif 000007
【図６】
2010189843.tif 000008
【図７】
2010189843.tif 000009